(57)【特許請求の範囲】
【請求項１】
バックライトをオン状態として、入力されるデータに基づき情報を表示する液晶ディスプレイ装置である第１の表示デバイスと、
入力されるデータに基づき情報を表示する第２の表示デバイスと、
前記第１の表示デバイスと前記第２の表示デバイスとを表示面の向きを違えて保持する表示デバイス保持部と、
前記表示デバイス保持部を、前記第１の表示デバイスをオペレータ側に位置させた第１の位置と、前記第２の表示デバイスをオペレータ側に位置させた第２の位置とに変位自在にする変位機構と、
前記表示デバイス保持部が前記第２の位置に位置することを検知する検知部と、
前記検知部によって前記表示デバイス保持部が前記第２の位置に位置することが検知されない場合には、オペレータの業務の用に供されるオペレータ用表示のデータを前記第１の表示デバイスに入力し、かつ顧客に対して提供される客用表示のデータを前記第２の表示デバイスに入力し、前記検知部によって前記表示デバイス保持部が前記第２の位置に位置すると検知されている場合には、前記第１の表示デバイスへの画面表示のデータ入力を切断するとともに前記バックライトをオフ状態とし、かつ前記オペレータ用表示のデータを前記第２の表示デバイスに入力する入力制御部と、
を備える商品販売データ処理装置。
【請求項２】
バックライトをオン状態として、入力されるデータに基づき情報を表示する液晶ディスプレイ装置である第１の表示デバイスと、
入力されるデータに基づき情報を表示する第２の表示デバイスと、
前記第１の表示デバイスと前記第２の表示デバイスとを選択的に保持するオペレータ側に設けられたオペレータ側保持部と、
前記第１の表示デバイスと前記第２の表示デバイスとを選択的に保持する客側に設けられた客側保持部と、
前記第２の表示デバイスが前記オペレータ側保持部に保持されてオペレータ側に位置することを検知する検知部と、
前記検知部によって前記第２の表示デバイスがオペレータ側に位置することが検知されない場合には、オペレータの業務の用に供されるオペレータ用表示のデータを前記第１の表示デバイスに入力し、かつ顧客に対して提供される客用表示のデータを前記第２の表示デバイスに入力し、前記検知部によって前記第２の表示デバイスがオペレータ側に位置すると検知されている場合には、前記第１の表示デバイスへの画面表示のデータ入力を切断するとともに前記バックライトをオフ状態とし、かつ前記オペレータ用表示のデータを前記第２の表示デバイスに入力する入力制御部と、
を備える商品販売データ処理装置。
【発明の詳細な説明】
【技術分野】
【０００１】
本発明は、コンビニエンスストア等の店舗に導入されて使用される商品販売データ処理装置に関する。
【背景技術】
【０００２】
従来、ＰＯＳ端末等の商品販売データ処理装置として、特許文献１に示すように、背中合わせに配置された２つの表示デバイスを有するものが普及している。
【０００３】
このようなＰＯＳ端末では、一方の表示デバイスがオペレータ側に向けて配置され、他方の表示デバイスが客側に向けて配置されている。そして、オペレータ側の表示デバイスには、例えばオペレータによる取引業務の利用に供される画面表示が表示され、客側の表示デバイスには、例えば顧客が取引内容を知ることができる画面表示がなされる。また、客側の表示デバイスには、特許文献１に記載されているように、販売促進用のコマーシャル情報等が表示される場合もある。
【０００４】
【特許文献１】特開２００６−３３０８３８公報
【発明の開示】
【発明が解決しようとする課題】
【０００５】
しかしながら、上記のようなＰＯＳ端末では、オペレータ側の表示デバイスが故障してしまうと（例えば、液晶のバックライト故障を原因とする）、オペレータ用表示が提供されなくなってしまう。そのため、たとえ客側の表示デバイスに何ら不具合が発生していなくても、このＰＯＳ端末を引き続き使用して取引業務を行うことができなくてなってしまう。
【０００６】
本発明の目的は、オペレータ側の表示デバイスが故障した場合にも継続して取引業務を行えるようにすることである。
【課題を解決するための手段】
【０００７】
本発明の商品販売データ処理装置は、バックライトをオン状態として、入力されるデータに基づき情報を表示する液晶ディスプレイ装置である第１の表示デバイスと、入力されるデータに基づき情報を表示する第２の表示デバイスと、前記第１の表示デバイスと前記第２の表示デバイスとを表示面の向きを違えて保持する表示デバイス保持部と、前記表示デバイス保持部を、前記第１の表示デバイスをオペレータ側に位置させた第１の位置と、前記第２の表示デバイスをオペレータ側に位置させた第２の位置とに変位自在にする変位機構と、前記表示デバイス保持部が前記第２の位置に位置することを検知する検知部と、前記検知部によって前記表示デバイス保持部が前記第２の位置に位置することが検知されない場合には、オペレータの業務の用に供されるオペレータ用表示のデータを前記第１の表示デバイスに入力し、かつ顧客に対して提供される客用表示のデータを前記第２の表示デバイスに入力し、前記検知部によって前記表示デバイス保持部が前記第２の位置に位置すると検知されている場合には、前記第１の表示デバイスへの画面表示のデータ入力を切断するとともに前記バックライトをオフ状態とし、かつ前記オペレータ用表示のデータを前記第２の表示デバイスに入力する入力制御部と、を備える。
【０００８】
別の面から見た本発明の商品販売データ処理装置は、バックライトをオン状態として、入力されるデータに基づき情報を表示する液晶ディスプレイ装置である第１の表示デバイスと、入力されるデータに基づき情報を表示する第２の表示デバイスと、前記第１の表示デバイスと前記第２の表示デバイスとを選択的に保持するオペレータ側に設けられたオペレータ側保持部と、前記第１の表示デバイスと前記第２の表示デバイスとを選択的に保持する客側に設けられた客側保持部と、前記第２の表示デバイスが前記オペレータ側保持部に保持されてオペレータ側に位置することを検知する検知部と、前記検知部によって前記第２の表示デバイスがオペレータ側に位置することが検知されない場合には、オペレータの業務の用に供されるオペレータ用表示のデータを前記第１の表示デバイスに入力し、かつ顧客に対して提供される客用表示のデータを前記第２の表示デバイスに入力し、前記検知部によって前記第２の表示デバイスがオペレータ側に位置すると検知されている場合には、前記第１の表示デバイスへの画面表示のデータ入力を切断するとともに前記バックライトをオフ状態とし、かつ前記オペレータ用表示のデータを前記第２の表示デバイスに入力する入力制御部と、を備える。
【発明の効果】
【０００９】
本発明によれば、普段は客側に位置して客用表示を提供する第２の表示デバイスがオペレータ側に位置したことにより、この第２の表示デバイスはオペレータ用表示を提供する。これにより、普段はオペレータ側に位置してオペレータ用表示を提供している第１の表示デバイスが故障してその表示機能が不能となった場合にも、継続して取引業務を行うことができる。
【発明を実施するための最良の形態】
【００１０】
本発明の第１の実施形態について図１ないし図６に基づいて説明する。第１の実施の形態は、コンビニエンスストアに導入されて使用されるＰＯＳ端末１０１への適用例である。
【００１１】
図１は、第１の実施の形態のＰＯＳ端末１０１を示す外観斜視図である。ＰＯＳ端末１０１は、ドロワ１０２の上に載置されている。ＰＯＳ端末１０１は、ドロワ１０２の開放動作を制御することができる。
【００１２】
ＰＯＳ端末１０１は、各部を収納及び配置するハウジング１０１ａを有する。ハウジング１０１ａの上面右側にはキーボード１０３が配置されている。キーボード１０３は、例えば、数字を入力するためのテンキー、仮締めキーとしての小計キー、締めキーとしての預／現計キー等を有する。また、ハウジング１０１ａの上面左側にはレシートプリンタ１０５が配置されている。ハウジング１０１ａの右側面近傍に設けられている溝は、カードリーダライタ（図示せず）によるカード情報の読み取り等をするためにカードをスキャンするためのカード読取溝１０４である。また、ＰＯＳ端末１０１には、商品に付されたバーコードを光学的に読み取るバーコードリーダ１０６が接続されている。さらに、ＰＯＳ端末１０１は、ストレージデバイスとして、ＨＤＤ及びＣＤ−ＲＯＭドライブを備えている（いずれも図示せず）。そのため、ハウジング１０１ａの右側面には、ＣＤ−ＲＯＭ（図示せず）を装着するためのＣＤ−ＲＯＭトレイ（図示せず）が設けられている。
【００１３】
そして、ハウジング１０１ａの上面には、第１の表示デバイス１０７と第２の表示デバイス１０８とが背中合わせで上面に配置された円柱形状の台座１０９が配置されている。台座１０９は、第１の表示デバイス１０７と第２の表示デバイス１０８とを表示面の向きを違えて保持する表示デバイス保持部を構成する。なお、第１の表示デバイス１０７と第２の表示デバイス１０８との配置状態は、背中合わせに限られることはない。第１の表示デバイス１０７及び第２の表示デバイス１０８は、一例として、ＴＦＴ液晶である表示面に情報を表示する液晶ディスプレイ装置である。
【００１４】
第１の表示デバイス１０７は、台座１０９の上面に固定された第１のアーム１０７ａによって支持されている。第２の表示デバイス１０８も台座１０９の上面に固定された第２のアーム１０８ａによって支持されている。第１の表示デバイス１０７の第１のアーム１０７ａと第２の表示デバイス１０８の第２のアーム１０８ａとは対向配置されている。
【００１５】
図２は、第１の表示デバイス１０７と第２の表示デバイス１０８とが配置された台座１０９を示す斜視図である。なお、図２中では、台座１０９の向きは、図１中での向きと反対である。
【００１６】
台座１０９の円周面部分には、円周方向に沿って形成された円周溝１１０が形成されている。この円周溝１１０に対して、ハウジング１０１ａの上面に形成されている円孔が嵌まり込む。台座１０９は、円周溝１１０にハウジング１０１ａが嵌まり込んだ状態で、ハウジング１０１ａによって回転自在に保持されている。
【００１７】
台座１０９の裏面側であって第２の表示デバイス１０８下方位置には、板形状の遮断板１１１が取り付けられている。一方で、第１の表示デバイス１０７の下方位置には、何ら取り付けられていない。
【００１８】
図３は、台座１０９を回転させている状態のＰＯＳ端末１０１を示す外観斜視図である。前述したように、台座１０９はハウジング１０１ａに対して回転自在となっている。そのため、台座１０９を持ってその円周方向に力を加えることによって、図３に示すように、台座１０９は円周方向に回転移動をする。
【００１９】
台座１０９を回転移動させることによって、第１の実施の形態のＰＯＳ端末１０１では、第１の表示デバイス１０７をオペレータ側に位置させると共に第２の表示デバイス１０８を客側に位置させることができる（図１参照）。そして、台座１０９を回転移動させることによって、第１の表示デバイス１０７を客側に位置させると共に第２の表示デバイス１０８をオペレータ側に位置させることができる。
【００２０】
図４は、第１の表示デバイス１０７と第２の表示デバイス１０８とが配置された台座１０９を示す断面図である。
【００２１】
図４に示すように、第１のアーム１０７ａの内部には、第１の表示デバイス１０７をＰＯＳ端末１０１の制御部１５１（図５参照）に対して電気的に接続するための第１のケーブル部材１０７ｂが通されている。第２のアーム１０８ａの内部にも、第２の表示デバイス１０８を制御部１５１に対して電気的に接続するための第２のケーブル部材１０８ｂが通されている。そして、第１のケーブル部材１０７ｂと第２のケーブル部材１０８ｂとは、台座１０９の内部を通されてハウジング１０１ａ（図４中では図示せず）へと至っている。
【００２２】
図４（ａ）は、台座１０９の回転によって、第１の表示デバイス１０７がオペレータ側に位置し、第２の表示デバイス１０８が客側に位置している状態を示している。したがって、図４（ａ）中では、第２の表示デバイス１０８の下方位置にある遮断板１１１は、客側に位置している。
【００２３】
ところで、ハウジング１０１ａ（図４中では図示せず）の内部には、回転する台座１０９の下方位置のオペレータ側に寄せて、検知部としての位置センサ１１２が配置されている。本実施の形態の位置センサ１１２は、透過型センサであり、発光素子を有する発光部と受光素子を有する受光部とによって構成されている。発光部と受光部との間に障害物が無い場合には光が透過して透過量は多い。一方で、障害物が発光部と受光部との間に位置付けられることによって光が遮断されて透過量が減少する。
【００２４】
位置センサ１１２は、信号（切替信号）を出力している。そして、位置センサ１１２の光が透過している状態では、切替信号はＬｏｗレベルであり、光が遮断された状態になると切替信号はＨｉレベルとなる。
【００２５】
したがって、図４（ａ）に示す状態では、位置センサ１１２の光が透過しているため、位置センサ１１２が出力する切替信号はＬｏｗレベルとなっている。
【００２６】
図４（ｂ）は、台座１０９の回転によって、第２の表示デバイス１０８がオペレータ側に位置し、第１の表示デバイス１０７が客側に位置している状態を示している。第２の表示デバイス１０８がオペレータ側に位置した状態では、第２の表示デバイス１０８の下方位置に設けられた遮断板１１１は、オペレータ側に位置する。
【００２７】
このとき、図４（ｂ）に示すように、遮断板１１１は位置センサ１１２の発光部と受光部との間に位置することになる。こうして、遮断板１１１によって光が遮断されて透過量が減少するので、位置センサ１１２は、透過率の減少に基づいて、出力する切替信号をＬｏｗレベルからＨｉレベルにする。
【００２８】
図５は、ＰＯＳ端末１０１のハードウェア構成を示す模式図である。ＰＯＳ端末１０１は各部を駆動制御するマイクロコンピュータ構成の制御部１５１を有する。したがって、制御部１５１は、ＣＰＵ、ＲＯＭ、ＲＡＭ等（いずれも図示せず）を有する。
【００２９】
制御部１５１には、ＰＯＳ端末１０１が備える各部１５２が接続されている。なお、ＰＯＳ端末１０１が備える各部１５２は、ドロワ１０２、キーボード１０３、レシートプリンタ１０５、バーコードリーダ１０６、カードリーダライタ、ＨＤＤ、ＣＤ−ＲＯＭドライブを含む。各部１５２は、制御部１５１によって駆動制御される。また、制御部１５１には、位置センサ１１２が接続されている。
【００３０】
そして、制御部１５１には、第１の表示デバイス１０７が、ＩＣである第１の高速バススイッチＳＷ１を介して接続されている。また、制御部１５１には、第２の表示デバイス１０８が、ＩＣである第２の高速バススイッチＳＷ２を介して接続されている。そして、第１の高速バススイッチＳＷ１と第２の高速バススイッチＳＷ２とには、位置センサ１１２も接続されている。制御部１５１と第１の高速バススイッチＳＷ１と第２の高速バススイッチＳＷ２とは、入力制御部を構成する。
【００３１】
制御部１５１によって、第１の高速バススイッチＳＷ１と第２の高速バススイッチＳＷ２とには、客用表示のデータとオペレータ用表示のデータとが入力される。ここで、客用表示とは、顧客に対して提供される画面表示であり、オペレータ用表示とは、ＰＯＳ端末１０１を操作するオペレータに対して提供される画面表示である。
【００３２】
より詳細には、第２の高速バススイッチＳＷ２には、客用表示入力とオペレータ用表示入力との２系統が入力されて、第１の高速バススイッチＳＷ１には、オペレータ用表示入力の１系統が入力される。第２の高速バススイッチＳＷ２への客用表示入力を「Ａ入力」とし、オペレータ用表示入力を「Ｂ入力」とする。また、第１の高速バススイッチＳＷ１へのオペレータ用表示入力を「Ａ入力」とする。
【００３３】
そして、位置センサ１１２が出力する切替信号がＬｏｗレベルである場合には、第１の高速バススイッチＳＷ１の第１の表示デバイス１０７への出力（図５中Ｂ出力）は、Ａ入力、つまり、オペレータ用表示のデータ入力である。そして、切替信号がＬｏｗレベルである場合には、第２の高速バススイッチＳＷ２の第２の表示デバイス１０８への出力（図５中Ｃ出力）は、Ａ入力、つまり、客用表示のデータ入力である。
【００３４】
一方で、位置センサ１１２が出力する切替信号がＨｉレベルである場合には、第２の高速バススイッチＳＷ２の第２の表示デバイス１０８への出力（図５中Ｃ出力）は、Ｂ入力、つまり、オペレータ用表示のデータ入力となる。そして、切替信号がＨｉレベルである場合には、第１の高速バススイッチＳＷ１の出力（図５中Ｂ出力）は、ＯＦＦとなる。こうして、第１の高速バススイッチＳＷ１によって第１の表示デバイス１０７への画面表示のデータ入力が切断される。なお、このとき、制御部１５１は、第１の表示デバイス１０７のバックライトをオフ状態とする制御をしてもよい。
【００３５】
図６は、第１の表示デバイス１０７と第２の表示デバイス１０８との画面表示の一例を示す模式図である。図６の上段は、第１の表示デバイス１０７がオペレータ側に位置し、第２の表示デバイス１０８が客側に位置している状態を示している。
【００３６】
この状態では、遮断板１１１によって位置センサ１１２の光は遮断されていないため、位置センサ１１２が出力する切替信号はＬｏｗレベルである。したがって、第１の高速バススイッチＳＷ１の第１の表示デバイス１０７への出力はＡ入力であり、図６右上に示すように、オペレータ側に位置する第１の表示デバイス１０７の画面表示は、オペレータ用表示となる。
【００３７】
そして、この状態では、第２の高速バススイッチＳＷ２の第２の表示デバイス１０８への出力もＡ入力であるため、図６左上に示すように、客側に位置している第２の表示デバイス１０８の画面表示は、客用表示となる。
【００３８】
オペレータ用表示は、オペレータの業務のために供される画面表示であって、図６右上に例示するように、バーコードリーダ１０６によって読み取られた商品のコード、そのコードに基づいて商品データファイル（図示せず）から読み出された商品名及び価格、そして、その商品の数量を一覧表示するものである。さらに、オペレータ用表示は、「ＸＸＸＸ年ＸＸ月ＸＸ日」という日時表示を含んでいる。このようにオペレータ用表示は、その取引に係る情報を一覧で表示する文字列を中心とした画面表示である。
【００３９】
客用表示は、図６左上に例示するように、オペレータがバーコードリーダ１０６によって読み取った最新の商品についての商品名及び価格を表示するものである。さらに、客用表示は、販売促進のための表示を含んでいる。この表示は、例えば、新発売となる商品の商品名、価格、商品写真等を含むものである。
【００４０】
第１の表示デバイス１０７は、普段はオペレータ側に配置されてオペレータによって使用される。このとき第１の表示デバイス１０７は、オペレータ用表示を提供している。一方、第２の表示デバイス１０８は、普段は客側に配置されて顧客の利用に供される。このとき、第２の表示デバイス１０８は、客用表示を提供している。
【００４１】
そして、普段はオペレータによって使用される第１の表示デバイス１０７が故障して表示機能が不能になる場合がある。第１の表示デバイス１０７の表示機能が不能になる原因は、例えば、第１の表示デバイス１０７が液晶ディスプレイ装置である場合には、バックライト故障、インバータ基板故障、ＴＦＴ故障等である。オペレータ側の第１の表示デバイス１０７の表示機能が不能になった場合、オペレータはオペレータ用表示を見ることができなくなってしまうため、業務に支障をきたしてしまう。
【００４２】
このような場合、台座１０９を回転移動させることによって、第１の表示デバイス１０７の位置と第２の表示デバイス１０８の位置とを交換する。
【００４３】
図６の下段は、第１の表示デバイス１０７が客側に位置し、第２の表示デバイス１０８がオペレータ側に位置している状態を示している。
【００４４】
この状態では、遮断板１１１によって位置センサ１１２の光が遮断されているため、位置センサ１１２の出力する切替信号は、Ｈｉレベルである。したがって、第２の高速バススイッチＳＷ２の第２の表示デバイス１０８への出力はＢ入力であり、図６右下に示すように、オペレータ側に位置する第２の表示デバイス１０８の画面表示は、普段は客用表示であるところ（図６左上参照）、オペレータ用表示となる。
【００４５】
そして、この状態では、第１の高速バススイッチＳＷ１の第１の表示デバイス１０７への出力はＯＦＦとなっているため、図６左下に示すように、客側に位置する第１の表示デバイス１０７には、何ら表示はされていない。
【００４６】
図６の下段に示した状態では、客側に位置する第１の表示デバイス１０７によって顧客に対しての客用表示を提供することはできないものの、オペレータ側に位置する第２の表示デバイス１０８によってオペレータに対してはオペレータ用表示が提供される。したがって、オペレータの取引業務については、支障をきたすことなく継続して行うことができる。
【００４７】
また、取引業務中に算出された決済金額等を顧客に報知する場合（多くは取引の最終段階である）には、台座１０９を回転移動させて第１の表示デバイス１０７の位置と第２の表示デバイス１０８の位置とを復元させればよい。これにより、決済金額の表示を含む客用表示を客側の第２の表示デバイス１０８に再び表示させることができる。
【００４８】
次に、本発明の第２の実施形態について図７及び図８に基づいて説明する。第２の実施の形態もＰＯＳ端末１０１への適用例である。なお、第２の実施の形態のＰＯＳ端末１０１のハードウェア構成は、図５に基づいて説明した第１の実施の形態のＰＯＳ端末１０１のハードウェア構成と同じである。
【００４９】
図７は、第２の実施の形態のＰＯＳ端末１０１を示す外観斜視図である。図１ないし図６に基づいて説明した第１の実施の形態と同一の部分は同一の符号で示し、説明も省略する。第２の実施の形態では、台座１０９は回転自在に設けられておらず、ハウジング１０１ａの一部となっている。
【００５０】
そして、図７に示すように、第２の実施の形態では、第１の表示デバイス１０７と第２の表示デバイス１０８とは、台座１０９に対して取り外し自在となっている。
【００５１】
第２の実施の形態の台座１０９の上面には、オペレータ側に形成されたオペレータ側保持部としてのオペレータ側差込溝２１１と、客側に形成された客側保持部としての客側差込溝２１２とが設けられている。オペレータ側差込溝２１１には、第１の表示デバイス１０７の第１のアーム１０７ａと第２の表示デバイス１０８の第２のアーム１０８ａとが選択的に差込自在となっている。同様に、客側差込溝２１２には、第１の表示デバイス１０７の第１のアーム１０７ａと第２の表示デバイス１０８の第２のアーム１０８ａとが選択的に差込自在となっている。このような差し込みのため、第２の実施の形態の第１のアーム１０７ａ及び第２のアーム１０８ａは、第１の実施の形態よりも下方に延長されている。
【００５２】
第１の表示デバイス１０７の背面には、第１の表示デバイス１０７に接続された第１のケーブル部材１０７ｂが露出している。同様に、第２の表示デバイス１０８の背面にも、第２の表示デバイス１０８に接続された第２のケーブル部材１０８ｂが露出している。第１のケーブル部材１０７ｂと第２のケーブル部材１０８ｂとは、まとめられて台座１０９からハウジング１０１ａの内部へと至っている。したがって、台座１０９には、第１のケーブル部材１０７ｂと第２のケーブル部材１０８ｂとが通されるケーブル孔１０９ａが形成されている。
【００５３】
そして、第２の実施の形態では、第２の表示デバイス１０８の第２のアーム１０８ａの下端に、第１の実施の形態では台座１０９の裏面に設けられていた遮断板１１１が設けられている。遮断板１１１は、第２のアーム１０８ａと一体に設けられている。
【００５４】
図８は、第２の実施の形態における第１の表示デバイス１０７と第２の表示デバイス１０８とが台座１０９に配置された状態を示す断面図である。
【００５５】
図８に示すように、オペレータ側差込溝２１１の底面には、第２の表示デバイス１０８の第２のアーム１０８ａが差し込まれた際に、第２のアーム１０８ａの下端に設けられている遮断板１１１を貫通させる貫通孔２１１ａが形成されている。同様に、客側差込溝２１２の底面にも、第２の表示デバイス１０８の第２のアーム１０８ａが差し込まれた際に遮断板１１１を貫通させる貫通孔２１２ａが形成されている。
【００５６】
第２の実施の形態では、台座１０９の下方位置のオペレータ側に、透過型センサである位置センサ１１２が配置されている。
【００５７】
なお、第１のケーブル部材１０７ｂ及び第２のケーブル部材１０８ｂは、ハウジング１０１ａの内部である程度の長さ余裕がある。したがって、図７に示すように、第１の表示デバイス１０７及び第２の表示デバイス１０８を上昇させることができる。
【００５８】
図８（ａ）は、第１の表示デバイス１０７の第１のアーム１０７ａがオペレータ側差込溝２１１に差し込まれ、第２の表示デバイス１０８の第２のアーム１０８ａが客側差込溝２１２に差し込まれている状態を示している。図８（ａ）中では、第２のアーム１０８ａの下端に設けられた遮断板１１１は、貫通孔２１２ａを貫通して客側に位置している。このとき、遮断板１１１は、位置センサ１１２の光を遮断しない。したがって、位置センサ１１２が出力する切替信号は、Ｌｏｗレベルである。
【００５９】
このとき、位置センサ１１２が出力する切替信号がＬｏｗレベルであるため、第１の表示デバイス１０７には、オペレータ用表示が入力されて表示されている（図６右上参照）。一方、第２の表示デバイス１０８には、客用表示が入力されて表示されている（図６左上参照）。
【００６０】
そして、第１の表示デバイス１０７が故障して表示機能が不能になった場合には、第１の表示デバイス１０７を引き抜いて第１のアーム１０７ａを客側差込溝２１２に差し込み、第２の表示デバイス１０８を引き抜いて第２のアーム１０８ａをオペレータ側差込溝２１１に差し込む。
【００６１】
図８（ｂ）は、第２の表示デバイス１０８の第２のアーム１０８ａがオペレータ側差込溝２１１に差し込まれ、第１の表示デバイス１０７の第１のアーム１０７ａが客側差込溝２１２に差し込まれている状態を示している。図８（ｂ）中では、第２のアーム１０８ａの下端に設けられた遮断板１１１は、貫通孔２１１ａを貫通して位置センサ１１２の発光部と受光部との間に位置している。こうして、遮断板１１１によって位置センサ１１２は光が遮断されて透過量が減少する。したがって、位置センサ１１２が出力する切替信号は、Ｈｉレベルとなる。
【００６２】
このとき、位置センサ１１２が出力する切替信号がＨｉレベルであるため、第２の表示デバイス１０８には、オペレータ用表示が入力されて表示されている（図６右下参照）。一方、第１の表示デバイス１０７には、何ら表示はされていない。こうして、顧客に対しての客用表示を提供することはできないものの、オペレータに対してはオペレータ用表示が提供される。したがって、オペレータの取引業務については、支障をきたすことなく継続して行うことができる。
【図面の簡単な説明】
【００６３】
【図１】第１の実施の形態のＰＯＳ端末を示す外観斜視図である。
【図２】第１の表示デバイスと第２の表示デバイスとが配置された台座を示す斜視図である。
【図３】台座を回転させている状態のＰＯＳ端末を示す外観斜視図である。
【図４】第１の表示デバイスと第２の表示デバイスとが配置された台座を示す断面図である。
【図５】ＰＯＳ端末のハードウェア構成を示す模式図である。
【図６】第１の表示デバイスと第２の表示デバイスとの画面表示の一例を示す模式図である。
【図７】第２の実施の形態のＰＯＳ端末を示す外観斜視図である。
【図８】第２の実施の形態における第１の表示デバイスと第２の表示デバイスとが台座に配置された状態を示す断面図である。
【符号の説明】
【００６４】
１０１…ＰＯＳ端末（商品販売データ処理装置）、１０７…第１の表示デバイス、１０８…第２の表示デバイス、１０９…台座（表示デバイス保持部）、１１２…位置センサ（検知部）、１５１…制御部（入力制御部）、２１１…オペレータ側差込溝（オペレータ側保持部）、２１２…客側差込溝（客側保持部）、ＳＷ１…第１の高速バススイッチ（入力制御部）、ＳＷ２…第２の高速バススイッチ（入力制御部）
【図１】
0004913709.tif 000002
【図２】
0004913709.tif 000003
【図３】
0004913709.tif 000004
【図４】
0004913709.tif 000005
【図５】
0004913709.tif 000006
【図６】
0004913709.tif 000007
【図７】
0004913709.tif 000008
【図８】
0004913709.tif 000009